(57)【要約】【課題】  装着部材の上下に長い係合溝に複数個の指圧部材を装着して、指圧部材の位置を容易に調整できるようにする。【解決手段】  背もたれの前面に添わされる装着部材３と、この装着部材３を背もたれＦに取り付ける取り付け部材４と、前記装着部材３に左右２列に装着される複数個の指圧部材５とを有する。前記装着部材３には上下に長い係合溝７が左右一対形成され、前記各指圧部材５は、装着部材３の表面側に位置する指圧面部Ａと、装着部材３の裏面側に位置する装着部Ｂと、前記指圧面部Ａと装着部Ｂとの間で前記装着部材３の係合溝７に上下位置調整自在に貫通しかつ停止位置で装着部材３に保持される保持部Ｃとが形成されている。【選択図】図１
2018134225.tif 000002
【特許請求の範囲】
【請求項１】
背もたれ（Ｆ）の前面に添わされる装着部材（３）と、この装着部材（３）を背もたれ（Ｆ）に取り付ける取り付け部材（４）と、前記装着部材（３）に左右２列に装着される複数個の指圧部材（５）とを有する指圧具であって、
前記装着部材（３）には上下に長い係合溝（７）が左右一対形成され、
前記各指圧部材（５）は、装着部材（３）の表面側に位置する指圧面部（Ａ）と、装着部材（３）の裏面側に位置する装着部（Ｂ）と、前記指圧面部（Ａ）と装着部（Ｂ）との間で前記装着部材（３）の係合溝（７）に上下位置調整自在に貫通しかつ停止位置で装着部材（３）に保持される保持部（Ｃ）とが形成されていることを特徴とする指圧具。
【請求項２】
前記各指圧部材（５）は、保持部（Ｃ）が係合溝（７）の溝壁と面接触可能な２面を有する断面略四角形状であり、かつ前記指圧面部（Ａ）及び装着部（Ｂ）と一体成形されており、
前記装着部材（３）には左右各係合溝（７）の上端に指圧部材（５）の装着部（Ｂ）を装着部材（３）の表面側から裏面側へ挿通する挿通穴（８）が形成されていることを特徴とする請求項１に記載の指圧具。
【請求項３】
前記装着部材（３）は１枚の板状部材に左右の係合溝（７）及び挿通穴（８）が形成されており、
前記取り付け部材（４）は装着部材（３）の左右上部に一対設けられており、各取り付け部材（４）は背もたれ（Ｆ）の肩部上方へ屈曲可能にする屈曲部（４Ａ）と、背もたれ（Ｆ）上部に取り付けられるヘッドレスト（Ｈ）の連結杆（Ｈａ）に掛脱自在に掛合する掛合部（４Ｂ）とが形成されていることを特徴とする請求項２に記載の指圧具。
【請求項４】
前記各指圧部材（５）は、指圧面部（Ａ）を形成する指圧面体（１１）と、装着部（Ｂ）を形成する座金（１２）と、この座金（１２）を貫通して指圧面体（１１）に螺合しかつ前記係合溝（７）を貫通する保持部（Ｃ）を形成するネジ部材（１３）とで形成されていることを特徴とする請求項１に記載の指圧具。
【請求項５】
前記各指圧部材（５）は、指圧面部（Ａ）を形成する指圧面体（１１）と、装着部（Ｂ）及び保持部（Ｃ）を形成する挟持体（１４）とで形成されており、前記挟持体（１４）は保持部（Ｃ）の先端側に指圧面体（１１）に螺合するネジ部（１４ａ）が形成されていることを特徴とする請求項１に記載の指圧具。
【請求項６】
前記装着部材（３）は、係合溝（７）を形成した左右一対のベルト（１５）と、左右ベルト（１５）を間隔調整自在に連結する連結部材（１６）とで形成されており、
前記取り付け部材（４）は左右のベルト（１５）の上部に一対設けられており、各取り付け部材（４）は背もたれ（Ｆ）の肩部上方へ屈曲可能にする屈曲部（４Ａ）と、背もたれ（Ｆ）上部に取り付けられるヘッドレスト（Ｈ）の連結杆（Ｈａ）に掛脱自在に掛合する掛合部（４Ｂ）とが形成されていることを特徴とする請求項４又は５に記載の指圧具。
【発明の詳細な説明】
【技術分野】
【０００１】
本発明は、乗用車の座席シート等の背もたれに装着可能な指圧具に関する。
【背景技術】
【０００２】
乗用車の座席シート等の背もたれに装着可能な指圧具として、特許文献１の簡易取り付け型ツボ押し装置は、布状ベルトで、はしご状に四角形を一個作り、その四角形の交差した点に、ツボ押しのための球を４個取り付けて、四角形から余分に上方へ飛び出したベルトの部分に、自動車の座席の頭を付けるヘッドレストの部分に引っ掛けるための面ファスナをつけて構成している。
【０００３】
また、特許文献２の自動車シート用のスライド式指圧具は、幅広のベルトに自由にスライド出来る凹凸のある指圧具を通して、ベルトの一方の片端には自動車シートの上部に簡単につけられる取り付け具を持って構成している。
【先行技術文献】
【特許文献】
【０００４】
【特許文献１】実用新案登録第３１５４７８７号公報
【特許文献２】実用新案登録第３０２２２９３号公報
【発明の概要】
【発明が解決しようとする課題】
【０００５】
前記特許文献１の技術は、４個の球により複数箇所同時にツボ押し可能であるが、４個の球は位置固定であるため、体型の異なる人のツボ押し要求箇所には配置できないことがある。
前記特許文献２の技術は、ベルトに対して指圧具を位置調整可能であるが、指圧具の背面にベルトを通しているため、指圧具の位置調整が面倒になっている。
【０００６】
本発明は、このような従来技術の問題点を解決できるようにした指圧具を提供することを目的とする。
本発明は、装着部材の上下に長い係合溝に複数個の指圧部材を装着することにより、指圧部材の位置を容易に調整できるようにした指圧具を提供することを目的とする。
【課題を解決するための手段】
【０００７】
本発明における課題解決のための具体的手段は、次の通りである。
第１に、背もたれＦの前面に添わされる装着部材３と、この装着部材３を背もたれＦに取り付ける取り付け部材４と、前記装着部材３に左右２列に装着される複数個の指圧部材５とを有する指圧具であって、
前記装着部材３には上下に長い係合溝７が左右一対形成され、
前記各指圧部材５は、装着部材３の表面側に位置する指圧面部Ａと、装着部材３の裏面側に位置する装着部Ｂと、前記指圧面部Ａと装着部Ｂとの間で前記装着部材３の係合溝７に上下位置調整自在に貫通しかつ停止位置で装着部材３に保持される保持部Ｃとが形成されていることを特徴とする。
【０００８】
第２に、前記各指圧部材５は、保持部Ｃが係合溝７の溝壁と面接触可能な２面を有する断面略四角形状であり、かつ前記指圧面部Ａ及び装着部Ｂと一体成形されており、
前記装着部材３には左右各係合溝７の上端に指圧部材５の装着部Ｂを装着部材３の表面側から裏面側へ挿通する挿通穴８が形成されていることを特徴とする。
第３に、前記装着部材３は１枚の板状部材に左右の係合溝７及び挿通穴８が形成されており、
前記取り付け部材４は装着部材３の左右上部に一対設けられており、各取り付け部材４は背もたれＦの肩部上方へ屈曲可能にする屈曲部４Ａと、背もたれＦ上部に取り付けられるヘッドレストＨの連結杆Ｈａに掛脱自在に掛合する掛合部４Ｂとが形成されていることを特徴とする。
【０００９】
第４に、前記各指圧部材５は、指圧面部Ａを形成する指圧面体１１と、装着部Ｂを形成する座金１２と、この座金１２を貫通して指圧面体１１に螺合しかつ前記係合溝７を貫通
する保持部Ｃを形成するネジ部材１３とで形成されていることを特徴とする。
第５に、前記各指圧部材５は、指圧面部Ａを形成する指圧面体１１と、装着部Ｂ及び保持部Ｃを形成する挟持体１４とで形成されており、前記挟持体１４は保持部Ｃの先端側に指圧面体１１に螺合するネジ部１４ａが形成されていることを特徴とする。
【００１０】
第６に、前記装着部材３は、係合溝７を形成した左右一対のベルト１５と、左右ベルト１５を間隔調整自在に連結する連結部材１６とで形成されており、
前記取り付け部材４は左右のベルト１５の上部に一対設けられており、各取り付け部材４は背もたれＦの肩部上方へ屈曲可能にする屈曲部４Ａと、背もたれＦ上部に取り付けられるヘッドレストＨの連結杆Ｈａに掛脱自在に掛合する掛合部４Ｂとが形成されていることを特徴とする。
【発明の効果】
【００１１】
本発明によれば、装着部材に上下に長い係合溝を形成して複数個の指圧部材を装着しているので、指圧部材の位置を容易に調整できる。
即ち、請求項１に係る発明は、装着部材３に上下に長い係合溝７を左右一対形成し、指圧部材５の指圧面部Ａと装着部Ｂとの間に装着部材３の係合溝７に上下位置調整自在に貫通しかつ停止位置で装着部材３に保持される保持部Ｃを形成しているので、係合溝７に沿って指圧部材５を位置調整することができ、指圧部材５を人の体型に合わせた位置に容易にかつ的確に配置することができる。
【００１２】
請求項２に係る発明は、指圧部材５が断面略四角形状の保持部Ｃと指圧面部Ａ及び装着部Ｂとが一体成形されているので、部品点数が少なくかつ係合溝７の溝壁との係合保持が確実にでき、しかも一体成形されていても、指圧部材５は装着部Ｂを挿通穴８に挿通して保持部Ｃを係合溝７に係合できるので、装着部材３に対する指圧部材５の装着が簡便にできる。
【００１３】
請求項３に係る発明は、装着部材３は１枚の板状部材に左右の係合溝７及び挿通穴８を容易に形成でき、かつ取り付け部材４の掛合部４ＢをヘッドレストＨの連結杆Ｈａに掛合することにより、指圧具を背もたれＦに対して簡単に添わせながら取り付けることができる。
請求項４に係る発明は、指圧部材５が指圧面体１１と座金１２とネジ部材１３とで形成されているので、装着部材３に対して位置調整自在でありながら強固に装着しておくことができる。
【００１４】
請求項５に係る発明は、指圧部材５が指圧面体１１と装着部Ｂ及び保持部Ｃを形成する挟持体１４とで形成されているので、装着部材３に対して位置調整自在でありながら強固に装着しておくことができる。
請求項６に係る発明は、装着部材３が左右一対のベルト１５とそれを連結する連結部材１６とで形成されているので、左右ベルト１５及び左右指圧部材５の間隔を調整することができ、かつ取り付け部材４の掛合部４ＢをヘッドレストＨの連結杆Ｈａに掛合することにより、指圧具を背もたれＦに対して簡単に添わせながら取り付けることができる。
【図面の簡単な説明】
【００１５】
【図１】本発明の第１実施形態を示す正面図である。
【図２】指圧具の使用状態を示す斜視図である。
【図３】同側面図である。
【図４】図１のＸ−Ｘ線断面図である。
【図５】本発明の第２実施形態を示す正面図である。
【図６】同側面図である。
【図７】図５のＹ−Ｙ線断面図である。
【図８】指圧部材の変形例を示す断面図である。
【発明を実施するための形態】
【００１６】
以下、本発明の実施の形態を図面に基づいて説明する。
図１〜４に示す第１実施形態の指圧具１Ａは、乗用車の座席シート等の背もたれＦの前面に添わされる装着部材３と、この装着部材３を背もたれＦに取り付ける取り付け部材４
と、前記装着部材３に左右２列に装着される複数個の指圧部材５とを備えている。
前記装着部材３は柔軟なプラスチック等で形成した薄板であって、角部に丸味のある正面視略四角形状であり、上下に長い係合溝７が左右一対形成され、左右各係合溝７の上端には円形の挿通穴８が形成されている。
【００１７】
前記取り付け部材４は柔軟なプラスチック等で形成した帯板であって、装着部材３の左右上部に一対設けられている。この各取り付け部材４は側面視円弧形状であって、ピン２０を介して装着部材３に揺動可能に設けられ、基部側に背もたれＦの肩部上方へ屈曲可能にする屈曲部４Ａが形成され、先端側に掛合部４Ｂが形成されている。
両取り付け部材４の掛合部４Ｂは同一方向に向けられたフック形状であり、背もたれＦ上部に取り付けられるヘッドレストＨの連結杆Ｈａに横方向から近づけることにより掛脱自在に掛合することができる。
【００１８】
前記各指圧部材５はプラスチック又は木材で形成されており、装着部材３の表面側に位置する指圧面部Ａと、装着部材３の裏面側に位置する装着部Ｂと、前記指圧面部Ａと装着部Ｂとの間の保持部Ｃとが一体形成されている。
指圧面部Ａは上表面が球形状で、背部に装着部材３の表面と面接触する大径の円形部Ａａを有する。装着部Ｂは円形部Ａａ及び挿通穴８より小径の円形であり、挿通穴８に通して装着部材３の表面側から裏面側へ挿通可能になっている。
【００１９】
指圧部材５は、装着部Ｂを挿通穴８を介して装着部材３の表面側から裏面側へ挿通し、かつ保持部Ｃを係合溝７へ移動することにより、指圧面部Ａの円形部Ａａは装着部材３の表面と面接触し、装着部Ｂは装着部材３の裏面と面接触する。前記円形部Ａａ及び装着部Ｂの装着部材３と面接触する面は摩擦抵抗を大きくできるように粗面に形成しておいてもよい。
【００２０】
前記保持部Ｃは、断面略四角形状（長方形又は正方形）であって、外周の２面が係合溝７に挿入することにより係合溝７の溝壁と面接触する。保持部Ｃは装着部材３の上下に長い係合溝７に挿通された状態で係合溝７内を強制力で移動することができ、保持部Ｃの２面は係合溝７の溝壁と面接触し、その摩擦抵抗により移動は規制される。
即ち、各指圧部材５は、保持部Ｃが装着部材３の係合溝７に上下位置調整自在に貫通しかつ停止位置で摩擦抵抗により装着部材３に保持される。
【００２１】
図５〜７に示す第２実施形態の指圧具１Ｂは、乗用車の座席シート等の背もたれＦの前面に添わされる装着部材３と、この装着部材３を背もたれＦに取り付ける取り付け部材４と、前記装着部材３に左右２列に装着される複数個の指圧部材５とを備えている。
前記装着部材３は、左右一対のベルト１５を上下一対の連結部材１６で連結して構成されており、左右各ベルト１５には上下に長い係合溝７が形成され、この係合溝７による左右分離を防止するために、長手方向間隔をおいて留め具２１で留められている。
【００２２】
上下各連結部材１６には３箇所に連結溝２２が形成されている。この連結溝２２は係合溝７と略同幅であり、左右の連結溝２２に左右ベルト１５の係合溝７を対向させ両者に指圧部材５を貫通しており、指圧部材５は連結溝２２及び係合溝７に対して位置調整可能になっている。
前記取り付け部材４は左右のベルト１５の上部にそれぞれピン２０を介して揺動可能に連結されており、各取り付け部材４は背もたれＦの肩部上方へ屈曲可能にする屈曲部４Ａと、背もたれＦ上部に取り付けられるヘッドレストＨの連結杆Ｈａに掛脱自在に掛合する掛合部４Ｂとが形成されている。両取り付け部材４の掛合部４Ｂはフック形状が対向内方向に向けられている。
【００２３】
また、両取り付け部材４は掛合部４Ｂの近傍にゴム紐、糸紐等の紐２３を連結して、連結杆Ｈａからの離脱を防止できるようにしてもよい。
前記各指圧部材５は、装着部材３の表面側に位置する指圧面部Ａを形成する指圧面体１１と、装着部材３の裏面側に位置する装着部Ｂを形成する座金１２と、この座金１２を貫通して指圧面体１１に螺合しかつ前記係合溝７を貫通する保持部Ｃを形成するネジ部材１３とで形成されている。
【００２４】
指圧面体１１は上表面が球形状で、背部に装着部材３の表面と面接触する円形部Ａａを
有する。座金１２は円形部Ａａと略同径である。
指圧部材５は、指圧面体１１を装着部材３の表面に宛がい、座金１２を装着部材３の裏面に宛がい、ネジ部材１３を座金１２及びベルト１５の係合溝７及び連結部材１６の連結溝２２に貫通し、このネジ部材１３を指圧面体１１に螺合することにより装着部材３に装着される。
【００２５】
前記ネジ部材１３の係合溝７を貫通する部分が保持部Ｃであり、この保持部Ｃが係合溝７内を移動することにより、装着部材３に対する指圧部材５の上下位置が調整され、連結溝２２内を移動することにより、装着部材３に対する指圧部材５の左右位置、即ち、左右ベルト１５を間隔調整が調整される。
前記第２実施形態の指圧具１Ｂは、ネジ部材１３の締結力によって指圧部材５を装着部材３に装着している。
【００２６】
図８は指圧部材５の変形例を示しており、この指圧部材５は、指圧面部Ａを形成する指圧面体１１と、装着部Ｂ及び保持部Ｃを形成する挟持体１４とで構成されており、前記挟持体１４は保持部Ｃの先端側に指圧面体１１に螺合するネジ部１４ａが形成されている。
係合溝７内に配置される挟持体１４の保持部Ｃは断面円形に形成されており、係合溝７の溝壁と接するが摩擦抵抗は大きくなく、指圧部材５は挟持体１４のネジ部１４ａによる締結力によって装着部材３に装着される。
【００２７】
なお、本発明は前記実施形態に限定されるものではなく、部材の形状、構成及び組み合わせ等を変更したりすることもできる。
例えば、第１実施形態の指圧部材５は保持部Ｃを断面円形に形成することも可能であり、第２実施形態の指圧部材５は第１実施形態に適用可能であり、変形例の指圧部材５は第１、第２実施形態の指圧具１Ａ，１Ｂに適用可能である。
【００２８】
第２実施形態の装着部材３は、左右一方のベルト１５に上下連結部材１６を固定又は一体成形し、上下連結部材１６に対して左右他方のベルト１５を左右位置調整自在に連結してもよい。
取り付け部材４は側面視フック形状に形成して、背もたれＦの肩部に上方から引っ掛けるようにしてもよい。取り付け部材４をフック形状に形成して、指圧具１を座椅子、床上椅子等に適用してもよい。
【符号の説明】
【００２９】
１      指圧具
３      装着部材
４      取り付け部材
４Ａ    屈曲部
４Ｂ    掛合部
５      指圧部材
７      係合溝
８      挿通穴
１１    指圧面体
１２    座金
１３    ネジ部材
１４    挟持体
１４ａ  ネジ部
１５    ベルト
１６    連結部材
Ａ      指圧面部
Ｂ      装着部
Ｃ      保持部
Ｈ      ヘッドレスト
Ｈａ    連結杆
【図１】
2018134225.tif 000003
【図２】
2018134225.tif 000004
【図３】
2018134225.tif 000005
【図４】
2018134225.tif 000006
【図５】
2018134225.tif 000007
【図６】
2018134225.tif 000008
【図７】
2018134225.tif 000009
【図８】
2018134225.tif 000010
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
背もたれ（Ｆ）の前面に添わされる装着部材（３）と、この装着部材（３）を背もたれ（Ｆ）に取り付ける取り付け部材（４）と、前記装着部材（３）に左右２列に装着される複数個の指圧部材（５）とを有する指圧具であって、
前記装着部材（３）には上下に長い係合溝（７）が左右一対形成され、
前記各指圧部材（５）は、装着部材（３）の表面側に位置する指圧面部（Ａ）と、装着部材（３）の裏面側に位置する装着部（Ｂ）と、前記指圧面部（Ａ）と装着部（Ｂ）との間で前記装着部材（３）の係合溝（７）に上下位置調整自在に貫通しかつ停止位置で装着部材（３）に保持される保持部（Ｃ）とが形成されており、
前記各指圧部材（５）は、保持部（Ｃ）が係合溝（７）の溝壁と面接触可能な２面を有する断面略四角形状であり、かつ前記指圧面部（Ａ）及び装着部（Ｂ）と一体成形されており、
前記装着部材（３）には左右各係合溝（７）の上端に指圧部材（５）の装着部（Ｂ）を装着部材（３）の表面側から裏面側へ挿通する挿通穴（８）が形成されており、
前記装着部材（３）は１枚の板状部材に左右の係合溝（７）及び挿通穴（８）が形成されており、
前記取り付け部材（４）は装着部材（３）の左右上部に一対設けられており、各取り付け部材（４）は背もたれ（Ｆ）の肩部上方へ屈曲可能にする屈曲部（４Ａ）と、背もたれ（Ｆ）上部に取り付けられるヘッドレスト（Ｈ）の連結杆（Ｈａ）に掛脱自在に掛合する掛合部（４Ｂ）とが形成されていることを特徴とする指圧具。
【請求項２】
背もたれ（Ｆ）の前面に添わされる装着部材（３）と、この装着部材（３）を背もたれ（Ｆ）に取り付ける取り付け部材（４）と、前記装着部材（３）に左右２列に装着される複数個の指圧部材（５）とを有する指圧具であって、
前記装着部材（３）には上下に長い係合溝（７）が左右一対形成され、
前記各指圧部材（５）は、装着部材（３）の表面側に位置する指圧面部（Ａ）と、装着部材（３）の裏面側に位置する装着部（Ｂ）と、前記指圧面部（Ａ）と装着部（Ｂ）との間で前記装着部材（３）の係合溝（７）に上下位置調整自在に貫通しかつ停止位置で装着部材（３）に保持される保持部（Ｃ）とが形成されており、
前記各指圧部材（５）は、指圧面部（Ａ）を形成する指圧面体（１１）と、装着部（Ｂ）を形成する座金（１２）と、この座金（１２）を貫通して指圧面体（１１）に螺合しかつ前記係合溝（７）を貫通する保持部（Ｃ）を形成するネジ部材（１３）とで形成されており、
前記装着部材（３）は、係合溝（７）を形成した左右一対のベルト（１５）と、左右ベルト（１５）を間隔調整自在に連結する連結部材（１６）とで形成されており、
前記取り付け部材（４）は左右のベルト（１５）の上部に一対設けられており、各取り付け部材（４）は背もたれ（Ｆ）の肩部上方へ屈曲可能にする屈曲部（４Ａ）と、背もたれ（Ｆ）上部に取り付けられるヘッドレスト（Ｈ）の連結杆（Ｈａ）に掛脱自在に掛合する掛合部（４Ｂ）とが形成されていることを特徴とする指圧具。
【請求項３】
背もたれ（Ｆ）の前面に添わされる装着部材（３）と、この装着部材（３）を背もたれ（Ｆ）に取り付ける取り付け部材（４）と、前記装着部材（３）に左右２列に装着される複数個の指圧部材（５）とを有する指圧具であって、
前記装着部材（３）には上下に長い係合溝（７）が左右一対形成され、
前記各指圧部材（５）は、装着部材（３）の表面側に位置する指圧面部（Ａ）と、装着部材（３）の裏面側に位置する装着部（Ｂ）と、前記指圧面部（Ａ）と装着部（Ｂ）との間で前記装着部材（３）の係合溝（７）に上下位置調整自在に貫通しかつ停止位置で装着部材（３）に保持される保持部（Ｃ）とが形成されており、
前記各指圧部材（５）は、指圧面部（Ａ）を形成する指圧面体（１１）と、装着部（Ｂ）及び保持部（Ｃ）を形成する挟持体（１４）とで形成されており、前記挟持体（１４）は保持部（Ｃ）の先端側に指圧面体（１１）に螺合するネジ部（１４ａ）が形成されており、
前記装着部材（３）は、係合溝（７）を形成した左右一対のベルト（１５）と、左右ベルト（１５）を間隔調整自在に連結する連結部材（１６）とで形成されており、
前記取り付け部材（４）は左右のベルト（１５）の上部に一対設けられており、各取り付け部材（４）は背もたれ（Ｆ）の肩部上方へ屈曲可能にする屈曲部（４Ａ）と、背もたれ（Ｆ）上部に取り付けられるヘッドレスト（Ｈ）の連結杆（Ｈａ）に掛脱自在に掛合する掛合部（４Ｂ）とが形成されていることを特徴とする指圧具。
【手続補正２】
【補正対象書類名】明細書
【補正対象項目名】０００７
【補正方法】変更
【補正の内容】
【０００７】
本発明における課題解決のための具体的手段は、次の通りである。
【手続補正３】
【補正対象書類名】明細書
【補正対象項目名】０００８
【補正方法】変更
【補正の内容】
【０００８】
第１に、背もたれＦの前面に添わされる装着部材３と、この装着部材３を背もたれＦに取り付ける取り付け部材４と、前記装着部材３に左右２列に装着される複数個の指圧部材５とを有する指圧具であって、
前記装着部材３には上下に長い係合溝７が左右一対形成され、
前記各指圧部材５は、装着部材３の表面側に位置する指圧面部Ａと、装着部材３の裏面側に位置する装着部Ｂと、前記指圧面部Ａと装着部Ｂとの間で前記装着部材３の係合溝７に上下位置調整自在に貫通しかつ停止位置で装着部材３に保持される保持部Ｃとが形成されており、
前記各指圧部材５は、保持部Ｃが係合溝７の溝壁と面接触可能な２面を有する断面略四角形状であり、かつ前記指圧面部Ａ及び装着部Ｂと一体成形されており、
前記装着部材３には左右各係合溝７の上端に指圧部材５の装着部Ｂを装着部材３の表面側から裏面側へ挿通する挿通穴８が形成されており、
前記装着部材３は１枚の板状部材に左右の係合溝７及び挿通穴８が形成されており、
前記取り付け部材４は装着部材３の左右上部に一対設けられており、各取り付け部材４は背もたれＦの肩部上方へ屈曲可能にする屈曲部４Ａと、背もたれＦ上部に取り付けられるヘッドレストＨの連結杆Ｈａに掛脱自在に掛合する掛合部４Ｂとが形成されていることを特徴とする。
【手続補正４】
【補正対象書類名】明細書
【補正対象項目名】０００９
【補正方法】変更
【補正の内容】
【０００９】
第２に、背もたれＦの前面に添わされる装着部材３と、この装着部材３を背もたれＦに取り付ける取り付け部材４と、前記装着部材３に左右２列に装着される複数個の指圧部材５とを有する指圧具であって、
前記装着部材３には上下に長い係合溝７が左右一対形成され、
前記各指圧部材５は、装着部材３の表面側に位置する指圧面部Ａと、装着部材３の裏面側に位置する装着部Ｂと、前記指圧面部Ａと装着部Ｂとの間で前記装着部材３の係合溝７に上下位置調整自在に貫通しかつ停止位置で装着部材３に保持される保持部Ｃとが形成されており、
前記各指圧部材５は、指圧面部Ａを形成する指圧面体１１と、装着部Ｂを形成する座金１２と、この座金１２を貫通して指圧面体１１に螺合しかつ前記係合溝７を貫通する保持部Ｃを形成するネジ部材１３とで形成されており、
前記装着部材３は、係合溝７を形成した左右一対のベルト１５と、左右ベルト１５を間隔調整自在に連結する連結部材１６とで形成されており、
前記取り付け部材４は左右のベルト１５の上部に一対設けられており、各取り付け部材４は背もたれＦの肩部上方へ屈曲可能にする屈曲部４Ａと、背もたれＦ上部に取り付けられるヘッドレストＨの連結杆Ｈａに掛脱自在に掛合する掛合部４Ｂとが形成されていることを特徴とする。
【手続補正５】
【補正対象書類名】明細書
【補正対象項目名】００１０
【補正方法】変更
【補正の内容】
【００１０】
第３に、背もたれＦの前面に添わされる装着部材３と、この装着部材３を背もたれＦに取り付ける取り付け部材４と、前記装着部材３に左右２列に装着される複数個の指圧部材５とを有する指圧具であって、
前記装着部材３には上下に長い係合溝７が左右一対形成され、
前記各指圧部材５は、装着部材３の表面側に位置する指圧面部Ａと、装着部材３の裏面側に位置する装着部Ｂと、前記指圧面部Ａと装着部Ｂとの間で前記装着部材３の係合溝７に上下位置調整自在に貫通しかつ停止位置で装着部材３に保持される保持部Ｃとが形成されており、
前記各指圧部材５は、指圧面部Ａを形成する指圧面体１１と、装着部Ｂ及び保持部Ｃを形成する挟持体１４とで形成されており、前記挟持体１４は保持部Ｃの先端側に指圧面体１１に螺合するネジ部１４ａが形成されていることを特徴とする。
前記装着部材３は、係合溝７を形成した左右一対のベルト１５と、左右ベルト１５を間隔調整自在に連結する連結部材１６とで形成されており、
前記取り付け部材４は左右のベルト１５の上部に一対設けられており、各取り付け部材４は背もたれＦの肩部上方へ屈曲可能にする屈曲部４Ａと、背もたれＦ上部に取り付けられるヘッドレストＨの連結杆Ｈａに掛脱自在に掛合する掛合部４Ｂとが形成されていることを特徴とする。